(57)【要約】【課題】コスト低減を図る。【解決手段】ベース部材１０に電子部品２０を取り付けるための取付け構造であって、ベース部材１０に形成した雌ネジ孔１１と、電子部品２０に形成され、雌ネジ孔１１にねじ込み可能な雄ネジ部２４とを備えている。この構成によれば、雌ネジ孔１１に雄ネジ部２４をねじ込むことによって電子部品２０をベース部材１０に取り付けることができる。カシメ片部をカシメ変形させる必要がないので、カシメ用の加工設備が不要となり、コストを低減できる。【選択図】図２
2018125488.tif 000002
【特許請求の範囲】
【請求項１】
ベース部材に電子部品を取り付けるための取付け構造であって、
前記ベース部材と前記電子部品のうち一方に形成した雌ネジ孔と、
前記ベース部材と前記電子部品のうち他方に形成され、前記雌ネジ孔にねじ込み可能な雄ネジ部とを備えていることを特徴とする電子部品の取付け構造。
【請求項２】
前記ベース部材と前記電子部品のうち一方に形成され、前記雌ネジ孔及び前記雄ネジ部と同心の円形をなす鋸歯状係止部と、
前記ベース部材と前記電子部品のうち他方に形成され、前記鋸歯状係止部と係止することで前記雌ネジ孔と前記雄ネジ部の緩み方向の相対回転を規制する規制突起とを備えていることを特徴とする請求項１記載の電子部品の取付け構造。
【請求項３】
複数の前記規制突起が、前記雌ネジ孔及び前記雄ネジ部と同心の円周に沿って鋸歯状に配列されていることを特徴とする請求項２記載の電子部品の取付け構造。
【発明の詳細な説明】
【技術分野】
【０００１】
本発明は、電子部品の取付け構造に関するものである。
【背景技術】
【０００２】
特許文献１には、金属基板に電子部品を取り付けるための取付け構造が開示されている。金属基板には複数のかしめ片部が形成されており、カシメ片部を電子部品の外面に接触させてカシメ付けることにより、電子部品が金属基板に固定されるようになっている。
【先行技術文献】
【特許文献】
【０００３】
【特許文献１】特開２００２−３４４１０７号公報
【発明の概要】
【発明が解決しようとする課題】
【０００４】
上記の取付け構造では、金属製のカシメ片部を変形させるための加工設備が必要であるため、製造コストが高くなるという問題がある。
本発明は上記のような事情に基づいて完成されたものであって、コスト低減を図ることを目的とする。
【課題を解決するための手段】
【０００５】
本発明は、
ベース部材に電子部品を取り付けるための取付け構造であって、
前記ベース部材と前記電子部品のうち一方に形成した雌ネジ孔と、
前記ベース部材と前記電子部品のうち他方に形成され、前記雌ネジ孔にねじ込み可能な雄ネジ部とを備えているところに特徴を有する。
【発明の効果】
【０００６】
この構成によれば、雌ネジ孔に雄ネジ部をねじ込むことによって電子部品をベース部材に取り付けることができる。カシメ片部をカシメ変形させる必要がないので、カシメ用の加工設備が不要となり、コストを低減できる。
【図面の簡単な説明】
【０００７】
【図１】実施例１においてベース部材に電子部品を取り付けた状態をあらわす平面図
【図２】図１のＸ−Ｘ線断面図
【図３】ベース部材に電子部品を取り付けた状態をあらわす正面図
【図４】ベース部材の平面図
【図５】図４のＹ−Ｙ線断面図
【図６】電子部品の正面図
【図７】電子部品の底面図
【発明を実施するための形態】
【０００８】
本発明は、
前記ベース部材と前記電子部品のうち一方に形成され、前記雌ネジ孔及び前記雄ネジ部と同心の円形をなす鋸歯状係止部と、
前記ベース部材と前記電子部品のうち他方に形成され、前記鋸歯状係止部と係止することで前記雌ネジ孔と前記雄ネジ部の緩み方向の相対回転を規制する規制突起とを備えていてもよい。
この構成によれば、鋸歯状係止部と規制突起との係止によって、雌ネジ孔と雄ネジ部の緩みが規制されるので、電子部品をベース部材に取り付けた状態に保持できる。
【０００９】
本発明は、
複数の前記規制突起が、前記雌ネジ孔及び前記雄ネジ部と同心の円周に沿って鋸歯状に配列されていてもよい。
この構成によれば、鋸歯状係止部と規制突起とが、全周に亘って複数箇所で均等に係止するので、雌ネジ孔と雄ネジ部の緩みを規制する機能の信頼性に優れている。
【００１０】
＜実施例１＞
以下、本発明を具体化した実施例１を図１〜図７を参照して説明する。尚、以下の説明において、上下の方向については、図２，３，５，６にあらわれる向きを、そのまま上方、下方と定義する。
【００１１】
本実施例１は、ベース部材１０の上面にＲＯＭ等の電子部品２０を取り付けるための取付け構造である。ベース部材１０と電子部品２０は、オートマチックトランスミッションの油中に収容されるハーネスを構成するものである。ベース部材１０は、電子部品２０を支持するためのものであり、全体として上面が水平な平面となっている合成樹脂製の部材である。図４，５に示すように、ベース部材１０の内部には、ベース部材１０の上面に開口し、且つ軸線が上面と直交する雌ネジ孔１１が形成されている。
【００１２】
ベース部材１０の上面には、雌ネジ孔１１と同心の円形をなす鋸歯状係止部１２が形成されている。鋸歯状係止部１２は、複数の同一形状の係止突起１３を一定ピッチで円形に配列したものである。各係止突起１３を雌ネジ孔１１の軸心位置から放射方向（径方向）に視たときの形状は、不等片三角形である。即ち、係止突起１３の右側の斜辺は、上下方向（雌ネジ孔１１の軸線方向）に近い角度で立ち上がった急傾斜辺部１４となっており、係止突起１３の左側の斜辺は、急傾斜辺部１４よりも傾斜角度の小さい緩傾斜辺部１５となっている。
【００１３】
電子部品２０は、合成樹脂製の筐体２１の内部に機能部品（図示省略）を収容した形態である。電子部品２０の筐体２１は、全体としてブロック状をなす部品本体部２２は、部品本体部２２の１つの側面から突出した接続機能部２３とを一体化した単一部材である。部品本体部２２の下面には、軸線を上下方向に向けた雄ネジ部２４が一体且つ下方へ突出した形態で形成されている。
【００１４】
同じく筐体２１の下面には、雄ネジ部２４と同心の円弧状をなす一対の鋸歯状突起列２５が形成されている。一対の鋸歯状突起列２５の曲率半径は、鋸歯状係止部１２の曲率半径と同一寸法であり、雄ネジ部２４の軸心に関して点対称な形状及び配置となっている。１つの鋸歯状突起列２５は、複数の規制突起２６を一定ピッチで円周上に配列して構成されている。各規制突起２６は、係止突起１３と同じく急傾斜辺部２７と緩傾斜辺部２８を有する不等片三角形であり、規制突起２６の大きさ及び配列ピッチは、係止突起１３の大きさ及び配列ピッチと同一である。
【００１５】
次に、電子部品２０をベース部材１０に取り付ける作業について説明する。まず、電子部品２０を摘んで、電子部品２０の下面をベース部材１０の上面に対向させた状態で接近させ、電子部品２０を回転させることによって雄ネジ部２４を雌ネジ孔１１にねじ込んでいく。雌ネジ孔１１と雄ネジ部２４のねじ込みが進むと、鋸歯状突起列２５（規制突起２６）の緩傾斜辺部２８の先端部（下端部）が、鋸歯状係止部１２（係止突起１３）の緩傾斜辺部１５の先端部（上端部）と干渉する。
【００１６】
規制突起２６と係止突起１３が干渉を開始した状態から、更に電子部品２０を回転させて雄ネジ部２４を雌ネジ孔１１にねじ込んでいくと、規制突起２６の緩傾斜辺部２８と係止突起１３の緩傾斜辺部１５とが摺接し、規制突起２６の下端部と係止突起１３の上端部が、僅かに潰れるように塑性変形しながら、弾性変形する。この規制突起２６と係止突起１３の塑性変形と弾性変形とにより、規制突起２６の下端部が係止突起１３の上端部を通過していく。
【００１７】
そして、鋸歯状突起列２５の複数の山部と谷部が、鋸歯状係止部１２の複数の谷部と山部に嵌合し、係止突起１３の急傾斜辺部１４と規制突起２６の急傾斜辺部２７とが係止する。この急傾斜辺部１４，２７同士の係止により、雄ネジ部２４と雌ネジ孔１１の緩み方向への相対変位が規制される。以上により、電子部品２０がベース部材１０に取付状態に保持される。
【００１８】
上述のように本実施例の取付け構造は、ベース部材１０に形成した雌ネジ孔１１と、電子部品２０に形成され、雌ネジ孔１１にねじ込み可能な雄ネジ部２４とを備えている。そして、雌ネジ孔１１に雄ネジ部２４をねじ込むことによって電子部品２０をベース部材１０に取り付けることができる。本実施例の取付け構造によれば、金属製のカシメ片部をカシメ変形させる必要がないので、カシメ用の加工設備が不要となり、コストを低減できる。
【００１９】
また、ベース部材１０には、雌ネジ孔１１と同心の円形をなす鋸歯状係止部１２が形成され、電子部品２０には、鋸歯状係止部１２と係止することで雌ネジ孔１１と雄ネジ部２４の緩み方向の相対回転を規制する規制突起２６が形成されている。この構成によれば、鋸歯状係止部１２と規制突起２６との係止によって、雌ネジ孔１１と雄ネジ部２４の緩みが規制されるので、電子部品２０をベース部材１０に取り付けた状態に保持できる。
【００２０】
また、複数の規制突起２６は、雌ネジ孔１１及び雄ネジ部２４と同心の円周に沿って鋸歯状に配列されて鋸歯状突起列２５を構成している。この構成によれば、鋸歯状係止部１２と規制突起２６とが、全周に亘って複数箇所で均等に係止するので、雌ネジ孔１１と雄ネジ部２４の緩みを規制する機能の信頼性に優れている。
【００２１】
＜他の実施例＞
本発明は上記記述及び図面によって説明した実施例に限定されるものではなく、例えば次のような実施例も本発明の技術的範囲に含まれる。
（１）上記実施例では、ベース部材に鋸歯状係止部を形成し、電子部品に規制突起を形成したが、電子部品に鋸歯状係止部を形成し、ベース部材に規制突起を形成してもよい。
（２）上記実施例では、複数の規制突起を円周に沿って鋸歯状に配列したが、規制突起は１つだけでもよく、複数の規制突起を、周方向に１つずつ間隔を空けて配置してもよい。
（３）上記実施例では、複数の規制突起が円弧状をなす一対の鋸歯状突起列を構成しているが、複数の規制突起は、全周に亘って連続した１つの円形突起列を構成してもよい。
（４）上記実施例では、鋸歯状係止部と規制突起との係止によって雌ネジ孔と雄ネジ部の緩みを規制したが、鋸歯状係止部と規制突起とを用いない手段によって雌ネジ孔と雄ネジ部の緩みを規制してもよい。
（５）上記実施例では、ベース部材に雌ネジ孔を形成し、電子部品に雄ネジ部を形成したが、ベース部材に雄ネジ部形成し、電子部品に雌ネジ孔を形成してもよい。
（６）上記実施例では、ベース部材と電子部品の筐体を合成樹脂製としたが、ベース部材と電子部品の筐体のうちいずれか一方を合成樹脂製とし他方を金属製としてもよく、ベース部材と電子部品の筐体の両方を金属製としてもよい。
【符号の説明】
【００２２】
１０…ベース部材
１１…雌ネジ孔
１２…鋸歯状係止部
２０…電子部品
２４…雄ネジ部
２６…規制突起
【図１】
2018125488.tif 000003
【図２】
2018125488.tif 000004
【図３】
2018125488.tif 000005
【図４】
2018125488.tif 000006
【図５】
2018125488.tif 000007
【図６】
2018125488.tif 000008
【図７】
2018125488.tif 000009